(57)【要約】【課題】アダプタと継手とのシール性を向上させると共に、１つのアダプタを各サイズの継手に適用させることを可能とする。【解決手段】継手接続品の検査装置１０は、軸方向一端部が閉塞されると共に他端部側に凹状挿入部１２Ｃが形成されたアダプタ１２と、凹状挿入部１２Ｃの内壁に着脱可能に固定され、内周側に継手３０が接続されるスリーブ１４とを備える。凹状挿入部１２Ｃには、継手３０を介して導入される流体の圧力によりスリーブ１４側に摺動するピストン１６が設けられている。ピストン１６は、軸方向一端に設けられたフランジ部１６Ｃが内壁面１３Ｂ側に配置され、軸方向他端側に設けられた内筒部１６Ｂが継手３０の内周面３２に摺動可能に挿入されている。ピストン１６の摺動により、ピストン１６のスリーブ１４側に設けられたシール材２２がスリーブ１４の端面に圧接され、スリーブ１４との間がシールされる。【選択図】図１
2015232457.tif 000002
【特許請求の範囲】
【請求項１】
軸方向の一端部が閉塞されると共に、軸方向の他端部側に継手接続品の継手が挿入される凹状挿入部が形成されたアダプタと、
前記凹状挿入部の内壁に着脱可能に固定されると共に、内周側に前記継手が接続されるスリーブと、
軸方向一端が前記凹状挿入部の前記スリーブよりも軸方向の一端部側に配置され、前記継手を介して導入される流体の圧力により前記スリーブ側に摺動可能に設けられると共に、軸方向他端に前記継手の内周面に摺動可能に挿入される内筒部を備えたピストンと、
前記ピストンにおける前記スリーブ側に設けられ、前記ピストンの摺動により前記スリーブ又は前記継手の端面に圧接されることで、前記スリーブ又は前記継手との間をシールするシール材と、
を有する継手接続品の検査装置。
【請求項２】
前記ピストンは、前記内筒部から半径方向外側に延びたフランジ部を備え、前記フランジ部に前記シール材が設けられている請求項１に記載の継手接続品の検査装置。
【請求項３】
前記継手の雄ネジ部が、前記スリーブの内周側の雌ネジ部に締結固定される請求項１又は請求項２に記載の継手接続品の検査装置。
【請求項４】
前記スリーブの外周側の雄ネジ部が、前記凹状挿入部の雌ネジ部に締結固定される請求項１から請求項３までのいずれか１項に記載の継手接続品の検査装置。
【請求項５】
前記ピストンの外周と前記凹状挿入部との接触部には、前記ピストンと前記凹状挿入部との間をシールするアダプタ用シール材が設けられ、
前記内筒部の外周には、前記内筒部と前記継手との間をシールする継手用シール材が設けられている請求項１から請求項４までのいずれか１項に記載の継手接続品の検査装置。
【請求項６】
前記アダプタの軸方向の一端部を閉塞する壁体と前記ピストンとの間にバネ部材が配置されている請求項１から請求項５までのいずれか１項に記載の継手接続品の検査装置。
【発明の詳細な説明】
【技術分野】
【０００１】
本発明は、継手接続品の検査装置に関する。
【背景技術】
【０００２】
下記特許文献１には、配管の気密性を検査する配管検査装置が開示されている。この配管検査装置では、管接続金具の一端が、配管のソケットと接続され、他端がアダプタと接続されている。管接続金具の貫通孔には、雌ねじが形成されており、配管のソケットの雄ねじを螺合させることで、配管のソケットと管接続金具とを接続している。さらに、管接続金具の貫通孔の雌ねじにアダプタの雄ねじを螺合させることで、管接続金具とアダプタとを接続している。
【先行技術文献】
【特許文献】
【０００３】
【特許文献１】特開２０１３−２４７３０号公報（例えば、図４）
【発明の概要】
【発明が解決しようとする課題】
【０００４】
一般的に、金具の内部面は面粗度が粗く、この内部面で気密状態を保持することは難しい。
【０００５】
上記特許文献１に記載の配管検査装置では、管接続金具の貫通孔の雌ねじに配管のソケットの雄ねじを螺合させて接続し、管接続金具の貫通孔の雌ねじにアダプタの雄ねじを螺合させて接続している。このため、管接続金具の貫通孔と配管のソケットとの締結部と、管接続金具の貫通孔とアダプタとの締結部で、圧縮空気を導入した際の圧力を保持する必要があるが、雄ねじ又は雌ねじが損傷していた場合などに適切なシール力を得ることが難しい。
【０００６】
また、必要なサイズ毎に、管接続金具やアダプタ等を用意しなければならず、コストが上昇すると共に保管場所にも制限がある。
【０００７】
本発明は、上記問題点に鑑みてなされたものであり、アダプタと継手とのシール性を向上させると共に、１つのアダプタを各サイズの継手に適用させることが可能な継手接続品の検査装置を提供することを目的とする。
【課題を解決するための手段】
【０００８】
上記問題点を解決するために、請求項１に記載の発明に係る継手接続品の検査装置は、軸方向の一端部が閉塞されると共に、軸方向の他端部側に継手接続品の継手が挿入される凹状挿入部が形成されたアダプタと、前記凹状挿入部の内壁に着脱可能に固定されると共に、内周側に前記継手が接続されるスリーブと、軸方向一端が前記凹状挿入部の前記スリーブよりも軸方向の一端部側に配置され、前記継手を介して導入される流体の圧力により前記スリーブ側に摺動可能に設けられると共に、軸方向他端に前記継手の内周面に摺動可能に挿入される内筒部を備えたピストンと、前記ピストンにおける前記スリーブ側に設けられ、前記ピストンの摺動により前記スリーブ又は前記継手の端面に圧接されることで、前記スリーブ又は前記継手との間をシールするシール材と、を有する。
【０００９】
請求項１に記載の発明によれば、アダプタの軸方向の一端部が閉塞されると共に、アダプタの軸方向の他端部側に継手接続品の継手が挿入される凹状挿入部が形成されている。凹状挿入部の内壁には、スリーブが着脱可能に固定されており、スリーブの内周側に継手が接続されている。凹状挿入部のスリーブよりも軸方向の一端部側には、ピストンの軸方向一端が配置されており、ピストンの軸方向他端に設けられた内筒部が継手の内周面に摺動可能に挿入されている。ピストンは、継手を介して導入される流体の圧力によりスリーブ側に摺動可能とされており、ピストンにおけるスリーブ側には、スリーブ又は継手との間をシールするシール材が設けられている。
この構成では、継手を介して導入される流体の圧力により、ピストンがスリーブ側に摺動することで、ピストンに設けられたシール材がスリーブ又は継手の端面に圧接され、ピストンとスリーブ又は継手との間がシールされる。これにより、アダプタとスリーブとの固定部、又はスリーブと継手との接続部が部分的に損傷していても、ピストンとスリーブ又は継手との間のシール性が保たれ、より確実なシール力が得られる。さらに、ピストンとスリーブを交換することで、１つのアダプタを様々なサイズの継手に対応可能である。このため、継手のサイズ毎にアダプタを揃える必要がなく、低コスト化が可能であると共に、アダプタの保管場所を削減することができる。
【００１０】
請求項２に記載の発明は、請求項１に記載の継手接続品の検査装置において、前記ピストンは、前記内筒部から半径方向外側に延びたフランジ部を備え、前記フランジ部に前記シール材が設けられている。
【００１１】
請求項２に記載の発明によれば、ピストンは、内筒部から半径方向外側に延びたフランジ部を備えており、ピストンがスリーブ側に摺動したときに、フランジ部に設けられたシール材がスリーブ又は継手の端面に圧接される。これにより、ピストンとスリーブ又は継手との間のシール性をより確実に向上させることができる。
【００１２】
請求項３に記載の発明は、請求項１又は請求項２に記載の継手接続品の検査装置において、前記継手の雄ネジ部が、前記スリーブの内周側の雌ネジ部に締結固定される。
【００１３】
請求項３に記載の発明によれば、継手の雄ネジ部が、スリーブの内周側の雌ネジ部に締結固定されている場合に、スリーブの雄ネジ部などが損傷していても、ピストンとスリーブ又は継手との間のシール性が保たれ、より確実なシール力を得ることができる。
【００１４】
請求項４に記載の発明は、請求項１から請求項３までのいずれか１項に記載の継手接続品の検査装置において、前記スリーブの外周側の雄ネジ部が、前記凹状挿入部の雌ネジ部に締結固定される。
【００１５】
請求項４に記載の発明によれば、スリーブの外周側の雄ネジ部が、凹状挿入部の雌ネジ部に締結固定されている場合に、雄ネジ部や雌ねじ部が損傷していても、ピストンとスリーブ又は継手との間のシール性が保たれ、より確実なシール力を得ることができる。
【００１６】
請求項５に記載の発明は、請求項１から請求項４までのいずれか１項に記載の継手接続品の検査装置において、前記ピストンの外周と前記凹状挿入部との接触部には、前記ピストンと前記凹状挿入部との間をシールするアダプタ用シール材が設けられ、前記内筒部の外周には、前記内筒部と前記継手との間をシールする継手用シール材が設けられている。
【００１７】
請求項５に記載の発明によれば、継手を介して導入される流体の圧力により、ピストンがスリーブ側に摺動する際に、ピストンの外周とアダプタの凹状挿入部との接触部に設けられたアダプタ用シール材により、ピストンと凹状挿入部との間のシール性を保つことができる。また、ピストンの内筒部の外周に設けられた継手用シール材により、内筒部と継手との間のシール性を保つことができる。
【００１８】
請求項６に記載の発明は、請求項１から請求項５までのいずれか１項に記載の継手接続品の検査装置において、前記アダプタの軸方向の一端部を閉塞する壁体と前記ピストンとの間にバネ部材が配置されている。
【００１９】
請求項６に記載の発明によれば、アダプタの軸方向の一端部を閉塞する壁体とピストンとの間にバネ部材が配置されていることで、アダプタの壁体とピストンの端面とが貼り付いて、ピストンがスリーブ側に摺動しにくくなることを阻止することができる。
【発明の効果】
【００２０】
本願発明に係る継手接続品の検査装置によれば、アダプタと継手とのシール性を向上させると共に、１つのアダプタを各サイズの継手に適用させることが可能である。
【図面の簡単な説明】
【００２１】
【図１】本発明の一実施形態に係る継手接続品の検査装置を示す断面図である。
【図２】図１に示す継手接続品の検査装置に用いられるピストンがスリーブ側に摺動した状態を示す断面図である。
【図３】比較例の継手接続品の検査装置を示す断面図である。
【発明を実施するための形態】
【００２２】
以下、本発明の実施の形態を図面に基づいて説明する。
【００２３】
図１には、本発明の一実施形態である継手接続品の検査装置が断面図にて示されている。図１に示されるように、継手接続品の検査装置１０は、筒体１２Ａからなるアダプタ１２を備えている。アダプタ１２は、筒体１２Ａの軸方向の一端部が壁体としての底壁１２Ｂにより閉塞されており、筒体１２Ａの軸方向の他端部側に継手３０が挿入される凹状挿入部１２Ｃが形成されている。
【００２４】
継手接続品の検査装置１０は、アダプタ１２の凹状挿入部１２Ｃの内壁に着脱可能に固定される略円筒状のスリーブ１４を備えている。アダプタ１２の凹状挿入部１２Ｃには、軸方向の他端部側（底壁１２Ｂと反対側）の内壁に雌ネジ部１３Ａが形成されている。アダプタ１２の凹状挿入部１２Ｃには、軸方向の一端部側（底壁１２Ｂ側）に内径が雌ネジ部１３Ａの内径よりも小径とされた略円形状の内壁面１３Ｂが形成されている。スリーブ１４の外周側には、雄ネジ部（外ネジ部）１４Ａが形成されており、雄ネジ部１４Ａが凹状挿入部１２Ｃの雌ネジ部１３Ａに螺合されることで、スリーブ１４がアダプタ１２の凹状挿入部１２Ｃに締結固定されている。
【００２５】
スリーブ１４の内周側には、雌ネジ部（内ネジ部）１４Ｂが形成されている。スリーブ１４の雌ネジ部１４Ｂには、検査対象となる継手接続品の一部を構成する継手３０が接続されている。本実施形態では、継手３０の軸方向の一端部側に雄ネジ部３０Ａが形成されており、継手３０の雄ネジ部３０Ａがスリーブ１４の雌ネジ部１４Ｂに螺合されることで、継手３０がスリーブ１４に締結固定されるようになっている。本実施形態では、継手３０がスリーブ１４に締結固定された状態で、スリーブ１４の軸方向奥側（底壁１２Ｂ側）の端面１４Ｃが継手３０の端面３０Ｂよりもアダプタ１２の底壁１２Ｂ側に突出している。
【００２６】
また、継手接続品の検査装置１０は、アダプタ１２の凹状挿入部１２Ｃに配置されたピストン１６を備えている。ピストン１６は、外形が略Ｔ字状に形成されており、中心部に流体が流れる流路１６Ａが形成されている。ピストン１６は、外径が小さい内筒部１６Ｂと、内筒部１６Ｂから半径方向外側に延びたフランジ部１６Ｃと、を備えている。本実施形態では、ピストン１６の軸方向一端にフランジ部１６Ｃが設けられており、フランジ部１６Ｃが、凹状挿入部１２Ｃのスリーブ１４よりも軸方向の一端部側（内壁面１３Ｂと面する位置）に配置されている。また、ピストン１６の軸方向他端側に内筒部１６Ｂが設けられており、内筒部１６Ｂは、スリーブ１４の半径方向内側に配置されている。フランジ部１６Ｃのスリーブ１４側には、略平面状の壁面１７Ａが形成されている。
【００２７】
ピストン１６のフランジ部１６Ｃは、凹状挿入部１２Ｃの内壁面１３Ｂを軸方向に沿って摺動可能に配置されている。フランジ部１６Ｃの外周面には、周方向に沿って溝部１７Ｂが形成されており、溝部１７Ｂにアダプタ用シール材としてのＯリング１８が配置されている。Ｏリング１８がアダプタ１２の内壁面１３Ｂに圧接されることで、ピストン１６とアダプタ１２の内壁面１３Ｂとのシール性が保たれるようになっている。
【００２８】
継手３０の中心部には、流路３０Ｃが形成されている。継手３０の軸方向の一端部（雄ネジ部３０Ａ側）には、流路３０Ｃの一部を構成する略円形状の内周面３２が形成されている。ピストン１６の内筒部１６Ｂは、継手３０の内周面３２に摺動可能に挿入されている。内筒部１６Ｂの外周面には、周方向に沿って溝部１７Ｃが形成されており、溝部１７Ｃに継手用シール材としてのＯリング２０が配置されている。Ｏリング２０が継手３０の内周面３２に圧接されることで、ピストン１６と継手３０の内周面３２とのシール性が保たれるようになっている。
【００２９】
図示を省略するが、継手３０の軸方向の他端部側（雄ネジ部３０Ａと反対側）には、ホースなどの接続管が接続されており、継手３０と接続管とで検査対象となる継手接続品が構成されている。継手接続品の検査装置１０は、継手３０の接続管から継手３０を介してアダプタ１２内に流体が導入されることで、流体の圧力（内圧）によりピストン１６がスリーブ１４側（矢印Ａ方向）に摺動するようになっている（図２参照）。流体としては、例えば、圧縮空気、ガス、又は作動油などが用いられている。また、図示を省略するが、継手３０の接続管に流体で加圧する加圧装置を接続することで、加圧装置により継手３０を介してアダプタ１２内に流体が導入され、アダプタ１２内が加圧されるようになっている。
【００３０】
ピストン１６のフランジ部１６Ｃの壁面１７Ａは、平面視にて略リング状とされており、壁面１７Ａのほぼ全面にシート状のシール材２２が装着されている。シール材２２は、発泡樹脂などの弾性体で構成されており、フランジ部１６Ｃの壁面１７Ａに接着剤等により固着されている。ピストン１６（フランジ部１６Ｃ）のスリーブ１４側への摺動により、シール材２２がスリーブ１４の端面１４Ｃに圧接されることで、ピストン１６とスリーブ１４の端面１４Ｃとの間がシールされるようになっている（図２参照）。
【００３１】
アダプタ１２の底壁１２Ｂとピストン１６のフランジ部１６Ｃとの間には、バネ部材としてのスプリング２４が配置されている。スプリング２４は、ピストン１６の軸方向奥側（底壁１２Ｂ側）の端面１７Ｄとアダプタ１２の底壁１２Ｂとの隙間を保持する程度の弾性力を有していればよい。すなわち、スプリング２４は、必ずしもピストン１６のフランジ部１６Ｃをスリーブ１４の端面１４Ｃに押圧させる必要はない。このスプリング２４により、ピストン１６の端面１７Ｄがアダプタ１２の底壁１２Ｂに張り付くことが阻止されるようになっている。これにより、アダプタ１２内に流体が導入された際に、ピストン１６（フランジ部１６Ｃ）をスリーブ１４側（矢印Ａ方向）へスムーズに摺動させることができる。
【００３２】
継手接続品の検査装置１０では、検査対象となる継手接続品の継手３０のサイズに合わせて複数のピストン１６およびスリーブ１４が用意されており、継手３０のサイズが変わっても、１つのアダプタ１２をそのまま使用する。継手接続品の気密性を検査する際には、継手接続品の継手３０のサイズに応じて、適切なピストン１６とスリーブ１４が選択される。
【００３３】
なお、本実施形態の継手接続品の検査装置１０は、図１及び図２に示されるように、アダプタ１２の軸方向を上下方向として配置している。但し、継手接続品の検査装置は、アダプタ１２の配置方向を特に制限するものではなく、アダプタ１２の軸方向を上下方向以外の方向に配置してもよい。
【００３４】
次に、本実施形態の継手接続品の検査装置１０の作用並びに効果について説明する。
【００３５】
図１に示されるように、継手接続品の検査装置１０では、継手３０を備えた継手接続品を検査する際には、継手３０のサイズに応じて適切なピストン１６とスリーブ１４が選択される。そして、アダプタ１２の凹状挿入部１２Ｃにピストン１６を配置する。その際、ピストン１６は、フランジ部１６Ｃがアダプタ１２の内壁面１３Ｂと面するように配置され、内筒部１６Ｂがアダプタ１２の雌ネジ部１３Ａと対向するように配置される。
【００３６】
さらに、アダプタ１２の凹状挿入部１２Ｃに設けられた雌ネジ部１３Ａにスリーブ１４の雄ネジ部１４Ａを螺合させることで、スリーブ１４をアダプタ１２に締結固定する。その際、ピストン１６の内筒部１６Ｂがスリーブ１４の内周側に間隔をおいて配置されている。
【００３７】
そして、継手接続品を構成する継手３０の雄ネジ部３０Ａをスリーブ１４の雌ネジ部１４Ｂに螺合させることで、継手３０をスリーブ１４に締結固定する。その際、ピストン１６の内筒部１６Ｂは、継手３０の内周面３２の内側に挿入される。
【００３８】
この継手接続品の検査装置１０では、継手３０の接続管（図示省略）から継手３０を介してアダプタ１２内に流体が導入されることで、アダプタ１２内の圧力（内圧）が上昇する。これにより、ピストン１６がスリーブ１４側（矢印Ａ方向）に摺動する。より詳細には、ピストン１６のフランジ部１６Ｃがアダプタ１２の内壁面１３Ｂを矢印Ａ方向に摺動すると共に、ピストン１６の内筒部１６Ｂが継手３０の内周面３２を矢印Ａ方向に摺動する。そして、図２に示されるように、ピストン１６のフランジ部１６Ｃの壁面１７Ａに設けられたシール材２２がスリーブ１４の端面１４Ｃに圧接されることで、ピストン１６とスリーブ１４との間がシールされる。この状態で、継手接続品の気密性が検査される。
【００３９】
このような継手接続品の検査装置１０では、アダプタ１２とスリーブ１４との締結部（雄ネジ部１４Ａや雌ネジ部１３Ａ）、又はスリーブ１４と継手３０との締結部（雌ネジ部１４Ｂ）が部分的に損傷していても、シール材２２によりピストン１６とスリーブ１４との間のシール性が保たれ、より確実なシール力が得られる。さらに、ピストン１６とスリーブ１４を交換することで、１つのアダプタ１２を様々なサイズの継手３０に対応させることが可能である。このため、継手３０のサイズ毎にアダプタ１２を揃える必要がなく、低コスト化が可能であると共に、アダプタの保管場所を削減することができる。
【００４０】
また、本実施形態では、ピストン１６は、内筒部１６Ｂから半径方向外側に延びたフランジ部１６Ｃを備えており、ピストン１６がスリーブ１４側に摺動したときに、フランジ部１６Ｃの壁面１７Ａに設けられたシール材２２がスリーブ１４の端面１４Ｃに圧接される。これにより、ピストン１６とスリーブ１４との間のシール性をより確実に向上させることができる。
【００４１】
また、本実施形態では、継手３０の雄ネジ部３０Ａが、スリーブ１４の内周側の雌ネジ部１４Ｂに締結固定されている。このため、スリーブ１４の雌ネジ部１４Ｂ等が損傷していても、ピストン１６とスリーブ１４との間のシール性が保たれ、より確実なシール力を得ることができる。
【００４２】
また、本実施形態では、スリーブ１４の外周側の雄ネジ部１４Ａが、アダプタ１２の凹状挿入部１２Ｃの雌ネジ部１３Ａに締結固定されている。このため、雄ネジ部１４Ａや雌ネジ部１３Ａが損傷していても、ピストン１６とスリーブ１４との間のシール性が保たれ、より確実なシール力を得ることができる。
【００４３】
さらに、本実施形態では、継手３０を介して導入される流体の圧力により、ピストン１６がスリーブ１４側に摺動する際に、ピストン１６のフランジ部１６Ｃの外周とアダプタ１２の凹状挿入部１２Ｃとの接触部に設けられたＯリング１８により、ピストン１６とアダプタ１２の凹状挿入部１２Ｃとの間のシール性を保つことができる。また、ピストン１６の内筒部１６Ｂの外周に設けられたＯリング２０により、内筒部１６Ｂと継手３０との間のシール性を保つことができる。
【００４４】
さらに、本実施形態では、アダプタ１２の底壁１２Ｂとピストン１６との間にスプリング２４が配置されている。これにより、アダプタ１２の底壁１２Ｂとピストン１６の端面１７Ｄとが貼り付き、ピストン１６（フランジ部１６Ｃ）がスリーブ１４側に摺動しにくくなることを阻止することができる。
【００４５】
図３には、比較例に係る継手接続品の検査装置１００が断面図にて示されている。図３に示されるように、継手接続品の検査装置１００は、アダプタ１０２を備えている。アダプタ１０２は、筒状の部材からなり、筒体１０２Ａの軸方向の一端部が底壁１０２Ｂにより閉塞されると共に、筒体１０２Ａの軸方向の他端部側に継手３０が挿入される凹状挿入部１０２Ｃが形成されている。アダプタ１０２の凹状挿入部１０２Ｃの内壁には、凹状挿入部１０２Ｃの入口側に雌ネジ部１０４Ａが形成されている。アダプタ１０２の雌ネジ部１０４Ａに、継手３０の雄ネジ部３０Ａが螺合されることで、継手３０がアダプタ１０２に接続されている。
【００４６】
このような継手接続品の検査装置１００では、継手３０の接続管（図示省略）から継手３０を介してアダプタ１０２内に流体が導入されることで、アダプタ１０２内の圧力（内圧）が高められ、継手接続品の気密性が検査される。その際、継手３０の雄ネジ部３０Ａがアダプタ１０２の雌ネジ部１０４Ａに締結固定されているため、継手３０とアダプタ１０２との締結部のシール力のみで圧力を保持する構成となっている。
【００４７】
しかし、このような継手接続品の検査装置１００では、例えば、アダプタ１０２の雌ネジ部１０４Ａなどが損傷していた場合、適切なシール力を得ることが困難である。このため、継手３０の雄ネジ部３０Ａにシールテープを確実に巻くことによって、シール性を向上させたり、雌ネジ部１０４Ａと雄ネジ部３０Ａとの寸法精度に頼る必要があり、多くの工数が掛かる。このため、締結部のみでシール力を保持するには改善の余地がある。
【００４８】
さらに、継手３０の各サイズに対応する複数のアダプタ１０２を用意しなければならず、コストが上昇する共に、複数のアダプタ１０２の保管場所にも制約がある。
【００４９】
また、一般的な金具においては、金具の内部面は面粗度が粗く、この面での気密保持はあまり期待できない。
【００５０】
本実施形態の継手接続品の検査装置１０では、ピストン１６（フランジ部１６Ｃ）がスリーブ１４側（矢印Ａ方向）に摺動し、フランジ部１６Ｃのシール材２２がスリーブ１４の端面１４Ｃに圧接されることで、ピストン１６とスリーブ１４との間がシールされる。このため、アダプタ１２やスリーブ１４のネジ部が損傷していても、より確実にシール力を得ることができる。
【００５１】
また、ピストン１６とスリーブ１４を交換することで、１つのアダプタ１２を様々なサイズの継手３０に対応させることが可能である。このため、継手３０のサイズ毎にアダプタ１２を揃える必要がなく、低コスト化が可能であると共に、アダプタの保管場所を削減することができる。また、継手３０のサイズ毎にアダプタ１２を揃える必要がないため、継手接続品の検査装置１０の構成部品の持ち運びも容易となる。
【００５２】
なお、上記実施形態では、継手３０の雄ネジ部をスリーブ１４の雌ネジ部に締結固定する構成であるが、本発明はこの構成に限定するものではない。継手の種類に応じてスリーブの構成を変更することで、他の種類の継手にも適用可能である。例えば、継手接続品の検査装置は、スリーブにロック部を設け、ロック部を継手の溝部に係合させて固定するタイプにも適用可能である。
【００５３】
また、上記実施形態では、スリーブ１４の雄ネジ部をアダプタ１２の雌ネジ部に締結固定する構成であるが、本発明はこの構成に限定するものではない。例えば、アダプタ１２に設けられたロック部に、スリーブ１４の溝部を係合されて固定する構成としてもよい。
【００５４】
また、上記実施形態では、ピストン１６のシール材２２が、流体の圧力によりスリーブ１４の端面１４Ｃに圧接されることで、ピストン１６とスリーブ１４とがシールされる構成であるが、本発明は、この構成に限定されるものではない。例えば、継手の端面をスリーブの端面よりもアダプタ１２の底壁１２Ｂ側に突出するように配置し、ピストン１６のフランジ部１６Ｃのシール材２２が、流体の圧力により継手の端面に圧接されることで、ピストン１６と継手とがシールされる構成としてもよい。
【符号の説明】
【００５５】
１０   継手接続品の検査装置
１２   アダプタ
１２Ｂ 底壁（壁体）
１２Ｃ 凹状挿入部
１３Ａ 雌ネジ部
１４   スリーブ
１４Ａ 雄ネジ部
１４Ｂ 雌ネジ部
１４Ｃ 端面
１６   ピストン
１６Ｂ 内筒部
１６Ｃ フランジ部
１８   Ｏリング（アダプタ用シール材）
２０   Ｏリング（継手用シール材）
２２   シール材
２４   スプリング（バネ部材）
３０   継手
３０Ａ 雄ネジ部
３２   内周面
【図１】
2015232457.tif 000003
【図２】
2015232457.tif 000004
【図３】
2015232457.tif 000005